(57)【要約】【課題】傘を持った自転車片手運転は、危険運転である為、様々な防雨器具が開発設計はされているが、風の影響や着脱機能が課題。  着脱機能を優先させると、風への対応力が軽減され、逆に風への影響を考慮すると、自転車本体と器具との接続が強固となり、自転車の形態により取付けや、乗り降りへの不自由が出て、それぞれが問題点となっている。【解決手段】折りたたみ可能は弾性フレームを、着脱の容易な固定部品で、自転車の前頭部に取付けることにより、自転車の運転スペースを確保し、そこへの着脱容易な保護シートの取付けで、弾性フレームの持つ「柔軟性」で風への影響を軽減し、尚且つ着脱性、乗降性の良い、防雨、防塵、防紫外線等へ対応した、快適な運転環境を提供。  フレーム固定部品に、フレームの固定位置および取り付け角度を調整させる機能を持たせる事とで、自転車の形体に影響の少ない取付けを実現。【選択図】図１
2011031757.tif 000002
【特許請求の範囲】
【請求項１】
自転車の横幅と高さ方向のスペースを確保するフレーム〔１〕と、前後方向のスペースを確保するフレーム〔２〕に、運転保護シート〔３〕を取り付けることで、快適な運転環境を確保する自転車取り付け器具。
【請求項２】
弾性フレーム〔１〕〔２〕と調整可能なフレーム固定部品〔４〕〔５〕での構造とする事で、自転車の形や、運転の目的に合わせて、運転スペースの高さや幅を容易に変更調整することのできる、快適な運転環境を確保する自転車取り付け器具。
【請求項３】
運転保護シート〔３〕を、弾性フレーム〔１〕〔２〕から自由に装着可能な構造とする事で、運転保護の対象（雨、風、埃等）や、気象状況（温度、紫外線等）に合わせて、シートの形状や素材を自由に選択できる、快適な運転環境を確保する自転車取り付け器具。
【請求項４】
ハンドル部分〔４〕と、前輪の車軸止め部分〔５〕とに、フレーム固定部品を持たせることで、後方に取り付け部品を持たず、自転車への乗り降りや、後方確認においての問題が出ないスペース配慮のされた、快適な運転環境を確保する自転車取り付け器具。
【請求項５】
弾性フレーム〔１〕〔２〕および運転保護シート〔３〕は、自転車本体から容易に取り付け、取り外しが可能であり、駐輪時や不要の場合には、保管や携帯することのできる、快適な運転環境を確保する自転車取り付け器具。
【発明の詳細な説明】
【技術分野】
【０００１】
本発明は、雨や風、埃や紫外線等から運転者を保護するための自転車取り付け器具に関する。
【背景技術】
【０００２】
降雨時に傘を持った片手運転は、危険を伴うものである為、それを補うための防雨器具が開発設計はされているが、走行時の風への影響が課題となっていた。
防雨器具の着脱機能を優先させると、風への対応力が軽減され、また逆に、風への影響を考慮すると、自転車本体と器具との接続が強固となり、自転車の形態により取り付けや、乗り降りへの不自由さがあり、それぞれに問題点を持つものが現状である。
【０００３】
また、自転車自体にも「籠つき自転車」「荷台つき自転車」「シティバイク」「マウンテンバイク」「ロードスポーツ」等の様々なモデルがある為、それぞれへの対応を行う必要がともなっていた。
【先行技術文献】
【特許文献】
【０００４】
【特許文献１】特許第４２７７２６６号
【特許文献２】特許第３８５００３６号
【特許文献３】特開２００９−１１３７８３
【特許文献４】特開２００８−４４５８６
【特許文献５】特開２００６−３１５６４４
【特許文献６】特開２００５−６７４４２
【特許文献６】特開２００５−１４８７６
【特許文献７】特開２００４−３３０８８４
【特許文献７】特開２００４−２６８８９５
【特許文献８】特開２００３−３００４９０
【特許文献９】特開２００１−４８０７６
【特許文献１０】特開平９−１２３９６８
【特許文献１１】特開平８−１２７３７４
【特許文献１２】特開平５−１３９３５３
【発明の概要】
【発明が解決しようとする課題】
【０００５】
自転車の運転者に対して、風への影響が極力少なく、尚且つ着脱性、乗降性の良い、防雨、防風、防塵、防紫外線等へ対応した、快適な運転環境を確保する自転車取り付け器具の提供。
【０００６】
自転車のモデル・形体に影響が少なく、取り付け調整が容易となり、尚且つ、用途や目的に合わせた設定のできる、快適な運転環境を確保する自転車取り付け器具の提供。
【課題を解決するための手段】
【０００７】
折りたたみ可能は弾性フレームを、着脱の容易なフレーム固定部品で、自転車の前頭部（ハンドルと前輪の車軸止め）に取り付けることにより、運転者が求めるコックピットスペースを確保し、そこに着脱容易な運転保護シートを取り付けることで、弾性フレームの持つ「柔軟性」で風への影響を軽減し、尚且つ着脱性、乗降性の良い、防雨、防風、防塵、防紫外線等へ対応した、快適な運転環境を確保する自転車取り付け器具を提供する。
【０００８】
フレーム固定部品に、フレームの固定位置および取り付け角度を調整させる機能を持たせる事と、用途や目的に合わせた素材、デザインでの運転保護シートを取り付け可能とすることで、自転車のモデル・形体に影響が少なく、取り付け調整が容易となり、尚且つ、用途や目的に合わせた設定のできる、快適な運転環境を確保する自転車取り付け器具を提供する。
【発明の効果】
【０００９】
本発明は、以下の効果をもたらす。
（１）自転車を運転する際の、外的な阻害要因となる、雨、風、埃、紫外線等を、様々な自転車に対応しながら解消し、快適な運転環境を確保する事を実現している。
（２）様々な形体の自転車に対して、柔軟な取り付け調整を可能し、自分の目的やその時の気候に合った、快適な運用環境を確保する事を実現している。
（３）本発明となる、快適な運転環境を確保する自転車取り付け器具は、主要部分の着脱を容易にすることができるため、駐輪時や車載移動、自転車保管等の不要となったときに、自由な取り外しを実現している。
【実施例】
【００１０】
図１は、マウンテンタイプの自転車に、通常降雨モデルの運転保護シート〔３〕を装着した実施例となっていて、運転者の頭部から走行時の体制に合わせた雨よけを実現しているものとなる。
【００１１】
本発明器具は、弾性フレーム部品〔１〕〔２〕を図２に示す (Ａ-1) (Ａ-2)のように、容易に解体分解でき、保護シート〔３〕を含めて折りたたみ保管できるものとなる。
【００１２】
保護シート〔３〕は、その時の環境や目的に合わせて、図３に示すように、〔６〕のような足元の雨よけ拡張保護シート等の使用や、図４に示すような、〔３〕フルガード保護シートを選択し装着する事が可能となる。
【００１３】
フレーム固定部品〔４〕〔５〕については、自転車のモデルや運転スタイルによって、図５に示す〔９〕グリップインタイプ固定部品のような対応も可能となる。
【００１４】
本発明器具は、弾性フレーム部品〔１〕〔２〕の持つ柔軟性で防護シートに受ける防風対応構造となっているが、用途や目的に合わせた拡張フレーム（図４の〔７〕〔８〕等）の取り付けが可能となる。  
【図面の簡単な説明】
【００１５】
【図１】本発明器具を装着したモデル事例の斜視図である。
【図２】本発明器具の全体構造を示す斜視図である。
【図３】本発明器具の拡張保護シートを使用したモデル事例を示した図である。
【図４】本発明器具の拡張フレームを使用したモデル事例を示した図である。
【図５】本発明器具の補強ワイヤーを使用したモデル事例を示した図である。
【図６】本発明器具を各形体の自転車に装着したモデル事例を示した図である。
【符号の説明】
【００１６】
〔１〕  横フレーム
〔２〕  縦フレーム
〔３〕  保護シート
〔４〕  横フレーム固定部品
〔５〕  縦フレーム固定部品
〔６〕  拡張保護シート
〔７〕  防風補強拡張フレーム
〔８〕  横幅拡張フレーム
〔９〕  横フレーム固定部品（グリップインタイプ）
〔10〕  防風補強ワイヤー
【図１】
2011031757.tif 000003
【図２】
2011031757.tif 000004
【図３】
2011031757.tif 000005
【図４】
2011031757.tif 000006
【図５】
2011031757.tif 000007
【図６】
2011031757.tif 000008